(57)【要約】【課題】平面画像と判定された立体画像について正しいフォーマットを決定できるようにした表示装置及び表示装置の制御方法を提供する。【解決手段】入力画像が立体画像か平面画像かを判定し、平面画像と判定された入力画像に対し、立体画像のフォーマットに対応する左右両眼用の画像を生成する処理を行い（ステップＳ１）、生成された左右両眼用の画像に基づいて入力画像のフォーマットを決定するようにした（ステップＳ２〜ステップＳ５）。【選択図】図４
2012129711.tif 000002
【特許請求の範囲】
【請求項１】
一対の右目用画像と左目用画像で構成される立体画像を入力し、入力画像を表示する表示装置であって、
前記入力画像が立体画像か平面画像かを判定する判定手段と、
前記平面画像と判定された入力画像に対し、立体画像のフォーマットに対応する左右両眼用の画像を生成する処理を行い、生成された左右両眼用の画像に基づいて前記入力画像のフォーマットを決定する決定処理を行う決定手段と、
決定したフォーマットに従って画像を表示する表示手段と
を備えることを特徴とする表示装置。
【請求項２】
前記決定処理の実行／実行停止を設定する設定手段をさらに備えることを特徴とする請求項１に記載の表示装置。
【請求項３】
前記立体画像には、フォーマットを示す付加情報が付加され、
前記判定手段は、前記付加情報が認識できない場合に平面画像と判定することを特徴とする請求項１又は２に記載の表示装置。
【請求項４】
前記決定手段は、生成された左右両眼用の画像を前記表示手段に表示させ、ユーザー指示に基づいて前記入力画像のフォーマットを決定することを特徴とする請求項１乃至３のいずれか一項に記載の表示装置。
【請求項５】
前記決定手段は、生成された左右両眼用の画像を比較し、比較結果に基づいて前記入力画像のフォーマットを決定することを特徴とする請求項１乃至３のいずれか一項に記載の表示装置。
【請求項６】
前記表示装置は、投射面に画像を投射する投射表示装置であり、
前記投射面の投射画像を撮像する撮像手段を備え、
前記決定手段は、前記撮像手段により撮像された前記左右両眼用の画像の比較結果に基づいてフォーマットを決定することを特徴とする請求項５に記載の表示装置。
【請求項７】
前記判定手段は、前記付加情報及び前記入力画像のフレーム伝送レートに基づいて平面画像か立体画像かを判定することを特徴とする請求項３に記載の表示装置。
【請求項８】
前記決定手段は、少なくともサイドバイサイド方式及びトップアンドボトム方式の各々に対応する左右両眼用の画像を生成する処理を行うことを特徴とする請求項１乃至７のいずれか一項に記載の表示装置。
【請求項９】
一対の右目用画像と左目用画像で構成される立体画像を入力し、入力画像を表示する表示装置の制御方法であって、
前記入力画像が立体画像か平面画像かを判定し、
前記平面画像と判定された入力画像に対し、立体画像のフォーマットに対応する左右両眼用の画像を生成する処理を行い、生成された左右両眼用の画像に基づいて前記入力画像のフォーマットを決定し、
決定したフォーマットに従って画像を表示することを特徴とする表示装置の制御方法。
【発明の詳細な説明】
【技術分野】
【０００１】
本発明は、立体画像を表示する表示装置及び表示装置の制御方法に関する。
【背景技術】
【０００２】
投射型表示装置（プロジェクター）などの表示装置には、一対の右目用画像と左目用画像で構成される立体映像（３Ｄ映像とも称する）のデータを入力し、このデータに基づいて立体映像を表示するものがある。この種の立体映像には、サイドバイサイド、トップアンドボトムなどの複数種類の映像フォーマットで伝送されており、この映像フォーマットを判別する方法が各種提案されている（特許文献１〜３参照）。
例えば、特許文献１では、入力端子であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＥＤＩＤ情報（Ｅｘｔｅｎｄｅｄ  ｄｉｓｐｌａｙ  ｉｄｅｎｔｉｆｉｃａｔｉｏｎ  ｄａｔａ：拡張ディスプレイ識別子）を元にフォーマットを決定している。
【先行技術文献】
【特許文献】
【０００３】
【特許文献１】特開２０１０−８８０９２号公報
【特許文献２】特開２０００−１９７０７４号公報
【特許文献３】特開２０１０−６８３１５号公報
【発明の概要】
【発明が解決しようとする課題】
【０００４】
ところで、立体映像データには、ＨＤＭＩ規格などによって、フォーマットを示す付加情報が付加され、この付加情報に基づいてフォーマットが判定されている。
しかしながら、アマチュアなどが制作した立体映像データには、様々な原因で付加情報が適切に記録されないおそれがある。この場合、フォーマットが適切に判定されず、立体映像であるにも拘わらず平面映像（２Ｄ映像とも称する）と判定されるおそれが生じる。
立体映像には、サイドバイサイド、トップアンドボトムなどの１フレーム内に横、若しくは縦に左右両眼用の画像を連結して入れたものがあり、現在表示すべきはどのフォーマットなのかを判別しなければ正しい表示はできない。また、本来、平面映像であるものを立体映像と誤認識した場合も正しい表示はできなくなる。
【０００５】
この誤認識に対応する方法として、現在の３Ｄ対応テレビでは、立体映像のフォーマットを手動で選択するメニュー項目が提供されている。この手法は、確実性があるが、「サイドバイサイド」、「トップアンドボトム」、「フレームシーケンシャル」といった専門用語が並ぶメニュー項目となり、操作の難易度が上がってしまう問題がある。
【０００６】
本発明は、上述した事情を鑑みてなされたものであり、平面画像と判定された立体画像について正しいフォーマットを決定できるようにした表示装置及び表示装置の制御方法を提供することを目的としている。
【課題を解決するための手段】
【０００７】
上記目的を達成するために、本発明は、一対の右目用画像と左目用画像で構成される立体画像を入力し、入力画像を表示する表示装置であって、前記入力画像が立体画像か平面画像かを判定する判定手段と、前記平面画像と判定された入力画像に対し、立体画像のフォーマットに対応する左右両眼用の画像を生成する処理を行い、生成された左右両眼用の画像に基づいて前記入力画像のフォーマットを決定する決定処理を行う決定手段と、決定したフォーマットに従って画像を表示する表示手段とを備えることを特徴とする。
この構成によれば、判定手段によって平面画像と判定された入力画像に対し、立体画像のフォーマットに対応する左右両眼用の画像を生成する処理を行い、生成された左右両眼用の画像に基づいて入力画像のフォーマットを決定する決定処理を行うので、平面画像と判定された立体画像について正しいフォーマットを決定することができる。
【０００８】
上記構成において、前記決定処理の実行及び実行停止を設定する設定手段をさらに備えるようにしてもよい。この構成によれば、この平面画像と判定された立体画像についてユーザーによるフォーマット判定を実行するか実行しないかを設定することができる。従って、ユーザーは、正しいフォーマットを決定することができる。
【０００９】
上記構成において、前記立体画像には、フォーマットを示す付加情報が付加され、前記判定手段は、前記付加情報が認識できない場合に平面画像と判定するようにしてもよい。この構成によれば、立体画像に付加される付加情報が認識できず平面画像と判定される事態が生じるが、この平面画像と判定された立体画像について正しいフォーマットを決定することができる。従って、様々な原因で付加情報が適切に記録されない立体画像が存在する場合でも、正しいフォーマットを決定することができる。
【００１０】
また、上記構成において、前記決定手段は、生成された左右両眼用の画像を前記表示手段に表示させ、ユーザー指示に基づいて前記入力画像のフォーマットを決定するようにしてもよい。この構成によれば、ユーザーが視覚で確認して適切なフォーマットを決定することができる。
また、上記構成において、前記決定手段は、生成された左右両眼用の画像を比較し、比較結果に基づいて前記入力画像のフォーマットを決定するようにしてもよい。この構成によれば、ユーザーが判断することなく、フォーマットを決定することができる。
【００１１】
また、上記構成において、前記表示装置は、投射面に画像を投射する投射表示装置であり、前記投射面の投射画像を撮像する撮像手段を備え、前記決定手段は、前記撮像手段により撮像された前記左右両眼用の画像の比較結果に基づいてフォーマットを決定するようにしてもよい。この構成によれば、撮像手段を使用する構成で、ユーザーが判断することなく、フォーマットを決定することができる。
また、上記構成において、前記判定手段は、前記付加情報及び前記入力画像のフレーム伝送レートに基づいて平面画像か立体画像かを判定するようにしてもよい。この構成によれば、付加情報を認識できない立体画像が存在した場合に、平面画像とフレーム伝送レートが異なるフォーマットの立体画像については正しく判定することができる。
【００１２】
また、上記構成において、前記決定手段は、少なくともサイドバイサイド方式及びトップアンドボトム方式の各々に対応する左右両眼用の画像を生成する処理を行うようにしてもよい。この構成によれば、平面画像、サイドバイサイド方式の立体画像及びトップアンドボトム方式の立体画像について、フォーマットを正しく判定することができる。
【００１３】
また、本発明は、一対の右目用画像と左目用画像で構成される立体画像を入力し、入力画像を表示する表示装置の制御方法であって、前記入力画像が立体画像か平面画像かを判定し、前記平面画像と判定された入力画像に対し、立体画像のフォーマットに対応する左右両眼用の画像を生成する処理を行い、生成された左右両眼用の画像に基づいて前記入力画像のフォーマットを決定し、決定したフォーマットに従って画像を表示することを特徴とする。
この構成によれば、平面画像と判定された入力画像に対し、立体画像のフォーマットに対応する左右両眼用の画像を生成する処理を行い、生成された左右両眼用の画像に基づいて入力画像のフォーマットを決定する決定処理を行うので、平面画像と判定された立体画像について正しいフォーマットを決定することができる。
【発明の効果】
【００１４】
本発明によれば、平面画像と判定された立体画像について正しいフォーマットを決定することができる。
【図面の簡単な説明】
【００１５】
【図１】本発明の第１実施形態に係る表示装置の機能的構成を示す図である。
【図２】（Ａ）は平面映像のフォーマット方式を示す図であり、（Ｂ）は立体映像のサイドバイサイド方式を示す図である。
【図３】表示装置のメニュー項目を示す図である。
【図４】映像フォーマット決定処理を示すフローチャートである。
【図５】（Ａ）はサイドバイサイド方式の立体映像に２Ｄ再生処理を行った表示結果を示す図であり、（Ｂ）はサイドバイサイド方式の立体映像にサイドバイサイド再生処理を行った表示結果を示す図である。
【図６】サイドバイサイド方式の立体映像にトップアンドボトム再生処理を行った表示結果を示す図である。
【図７】第２実施形態に係る表示装置の機能的構成を示す図である。
【図８】画像比較処理の結果とフォーマットの関係を示す図である。
【図９】２Ｄ再生処理による画像比較処理の結果に基づく映像フォーマット決定処理を示すフローチャートである。
【図１０】第３実施形態に係る表示装置の機能的構成を示す図である。
【発明を実施するための形態】
【００１６】
以下、図面を参照して本発明の一実施の形態について説明する。
＜第１実施形態＞
図１は、本発明の第１実施形態に係る表示装置１の機能的構成を示す図である。
図１に示す表示装置１は、投射面となるスクリーンＳＣに立体（３Ｄ）映像や平面（２Ｄ）映像を投射するプロジェクター（投射型表示装置）であり、光源装置２と、光源装置２が発した光を変調する変調部としての液晶ライトバルブ３と、液晶ライトバルブ３で変調された光を集光及び拡散してスクリーンＳＣに投射する投射光学系４とを備えている。
【００１７】
表示装置１がスクリーンＳＣに投射する立体映像は、一対の右目用画像のフレームと左目用画像のフレームとで構成される。表示装置１は、右目用画像のフレームと左目用画像のフレームとを交互にスクリーンＳＣに投射する時分割方式で、立体画像をスクリーンＳＣに投射する。この投射画像を見る人は、例えば液晶シャッターを備えたメガネ型のフィルターを装着する。このフィルターを装着した人には、右目に右目用画像のみが見え、左目に左目用画像のみが見える。このため、表示装置１が右目用画像と左目用画像とを十分に速い速度で切り換えて投射することにより、上記フィルターを装着した人は、右目と左目のそれぞれで滑らかな映像を見ることができ、立体的な映像を見ることができる。また、表示装置１が、投射光学系４によって右目用の画像と左目用の画像に逆方向の偏光または円偏光を与えてスクリーンＳＣに投射する構成であってもよい。この場合、投射画像を見る人は偏光レンズまたは円偏光レンズを備えたメガネ型のフィルターを使用すれば、立体的な映像を見ることができる。
【００１８】
光源装置２は、キセノンランプ、超高圧水銀ランプ、ＬＥＤ（Ｌｉｇｈｔ  Ｅｍｉｔｔｉｎｇ  Ｄｉｏｄｅ）などからなる光源を備えている。この光源装置２は、光源が発した光を液晶ライトバルブ３に導くリフレクター及び補助リフレクターを備えていてもよく、投射光の光学特性を高めるためのレンズ群（図示略）、偏光板、或いは光源が発した光の光量を液晶ライトバルブ３に至る経路上で低減させる調光素子などを備えたものであってもよい。
液晶ライトバルブ３は、ＲＧＢの各色に対応した３枚の透過型液晶パネルを備え、これら透過型液晶パネル上に映像処理装置５によって処理された映像が描画される。なお、液晶ライトバルブ３は、３枚の透過型液晶パネルを備えた構成に限らず、例えば、１枚の透過型液晶パネルとカラーホイールを組み合わせた方式で構成することもできる。
【００１９】
投射光学系４は、液晶ライトバルブ３で変調されたＲＧＢ３色の変調光を合成するプリズム、プリズムで合成された投射画像をスクリーンＳＣに結像させるレンズ群などを備えている。なお、液晶ライトバルブ３が１枚の透過型液晶パネルで構成される場合、プリズムに相当する部材は不要である。
これらの光源装置２、液晶ライトバルブ３、及び投射光学系４を含む画像の表示に係る各構成部は、全体として本発明の表示部（表示手段）に相当するが、特に液晶ライトバルブ３が表示部に相当する。但し、表示部の構成は液晶ライトバルブ３に限定されず、画像を表示することが可能であれば、その一部または全部を上記のような各種機能部によって代替できる。
【００２０】
表示装置１には、当該装置１に記憶された映像ソース（図示略）、または、パーソナルコンピューターや各種映像プレーヤーなどの外部の画像供給装置（図示略）から立体映像や平面映像の映像データ（画像データ）が入力される。
表示装置１は、表示装置１全体を制御する制御装置１０、制御装置１０の制御に従って、上記映像ソースまたは外部の画像供給装置から入力される映像信号をもとに、右目用画像データと左目用画像データとを交互に液晶ライトバルブ３に描画する映像処理装置５、及び、制御装置１０の制御に従って光源装置２に対して駆動電流を供給し、光源装置２を点灯、消灯させる光源駆動装置１１を備えている。制御装置１０には、表示装置１に設けられた操作部１２や設定情報などの各種情報を記憶する記憶部１３などが接続されている。
操作部１２は、複数の操作子を有する操作パネルと、不図示のリモートコントローラー（リモコン）から送信される操作信号を受信する操作信号受信部とを備え、これらを介してユーザー指示を制御装置１０に通知する。
【００２１】
本実施形態の映像処理装置５には、上記映像ソースまたは外部の画像供給装置から立体映像や平面映像のデジタルデータが入力される。平面映像のデジタルデータは、ＨＤＭＩ規格に準拠した平面映像用のフレーム伝送フォーマットであり、立体映像データのフレーム伝送フォーマット（立体視フォーマットとも称する）は、ＨＤＭＩ規格に準拠したサイドバイサイド（Ｓｉｄｅ−ｂｙ−Ｓｉｄｅ  Ｈａｌｆ）方式、トップアンドボトム（Ｔｏｐ−ａｎｄ−Ｂｏｔｔｏｍ）方式、フレームパッキング（Ｆｒａｍｅ  Ｐａｃｋｉｎｇ）方式であり、解像度は、例えば７２０ｐ、１０８０ｉ、１０８０ｐである。
表示装置１は、勿論他の映像フォーマットの映像データを処理し、表示することが可能であり、本実施形態ではあくまで一例として上記の映像フォーマットを提示する。また、これら立体映像のデジタルデータには、ＨＤＭＩ規格に従い、映像フォーマットを示す付加情報が付加されている。
【００２２】
サイドバイサイド方式及びトップアンドボトム方式は、左右両眼用の画像を水平又は垂直方向に圧縮し、平面映像の１フレーム内に連結して伝送する映像フォーマット（第１映像フォーマット）であり、フレーム伝送レートは平面映像と等倍である。
ここで、図２（Ａ）は平面映像のフォーマット方式を示し、図２（Ｂ）は立体映像のサイドバイサイド方式を示している。サイドバイサイド方式では、１フレームＦＬの水平方向の半分が右目用の画像Ｒ、残りの半分が左目用の画像Ｌであり、右目用と左目用の各画像の水平解像度は平面画像の半分である。
フレームパッキング方式は、左右両眼用の画像の解像度を下げずに伝送する映像フォーマット（第２映像フォーマット）であり、フレーム伝送レートは平面映像の２倍となっている。
【００２３】
映像処理装置５は、上記の映像データが入力される映像入力インターフェース（Ｉ／Ｆ）５１を備え、この映像入力インターフェース５１は、映像データのフォーマットを判定するフォーマット判定部（判定手段）５２を備えている。
このフォーマット判定部５２は、立体映像のデータに付加される付加情報及び入力画像のフレーム伝送レートに基づいて、立体映像か平面映像かを判定するものである。より具体的には、フォーマット判定部５２は、入力映像の付加情報を認識できた場合には、その認識結果に従い、立体映像と判定する。また、付加情報を認識できず、フレーム伝送レートが平面映像の範囲外（例えば、２倍）であれば、フォーマット判定部５２は、フレームパッキング方式の立体映像であると認識する。
【００２４】
また、付加情報を認識できず、かつ、フレーム伝送レートが平面映像の範囲内の場合には、フォーマット判定部５２は、平面映像と認識する。この場合、サイドバイサイド方式とトップアンドボトム方式の立体映像について、付加情報が適切に記録されていない場合、フォーマット判定部５２によって平面映像と誤判定されてしまう事態が生じることになる。
ただし、フレームパッキング方式の立体映像については、付加情報が適切に記録されていない場合でも、フレーム伝送レートが平面映像とは明らかに異なるので、フォーマット判定部５２によって、フレームパッキング方式の立体映像であると正しく判定することができる。
【００２５】
また、映像処理装置５は、メニュー画面などをＯＳＤ（Ｏｎ  Ｓｃｒｅｅｎ  Ｄｉｓｐｌａｙ）表示するための映像信号を生成するＯＳＤ処理部５３を有すると共に、フレームメモリー５５に接続された映像処理部５４を有している。
ＯＳＤ処理部５３は、制御装置１０の制御に従って予め記憶されたＯＳＤ表示データを読み出し、このＯＳＤ表示データに基づいてメニュー画面などの各種画面の映像信号を映像処理部５４に出力する。
映像処理部５４は、映像入力インターフェース５１を介して入力した映像データに対し、制御装置１０の制御に従って、フレームレート（フレーム周波数）変換処理、ＯＳＤ処理、及び、キーストーン補正（台形補正）処理を実行する。映像処理部５４は、ＯＳＤ処理、キーストーン補正処理、及びフレームレート変換処理のうち、制御装置１０の制御により指定された処理を実行するので、これらの処理の一部しか実行しない場合もあるし、これらの処理を行わずに映像データをそのまま出力することも可能である。
【００２６】
ＯＳＤ処理は、表示装置１の設定などを行うためのメニュー画面や設定画面などを入力映像に重畳する処理である。映像処理部５４は、映像入力インターフェース５１を介して入力した映像データをフレーム毎にフレームメモリー５５に展開し、展開したフレームにＯＳＤ表示する文字や図形を重畳して新たなフレーム画像を生成する。キーストーン補正処理は、スクリーンＳＣと表示装置１の光軸との相対位置によりスクリーンＳＣに結像する映像の形状に歪みが生じる場合に、液晶ライトバルブ３に描画する映像を変形させることで、スクリーンＳＣに正しい形状（長方形）の映像を結像させる処理である。映像処理部５４は、フレームメモリー５５に展開したフレーム画像を変形させて新たなフレーム画像を生成する。
【００２７】
フレームレート変換処理は、入力映像のフレームレートを、より高いフレームレートまたは低いフレームレートに変換する処理である。また、このフレームレート処理により、映像処理部５４は、入力映像がサイドバイサイド方式やトップアンドボトム方式で１フレームに右目用画像と左目用画像とを含んでいる場合に、これらの画像を分離して各々一つのフレームとする処理を行う。
例えば、サイドバイサイド方式の立体映像が入力された場合、映像の１フレームは、右半分が右目用画像であり、左半分が左目用画像である。この場合、映像処理部５４は、映像の１フレームをフレームメモリー５５に展開して左右に２分割し、その一方（右目用画像）と他方（左目用画像）とをそれぞれ１つのフレームとして抽出して、２フレームとする処理を行う。これにより１フレームが連続する２フレームとなり、右目用画像のフレームと左目用画像のフレームとが個別に生成される。この処理ではフレームの数が２倍になるため、結果としてフレームレートが２倍になるので、フレームレート変換処理と呼ぶ。
【００２８】
映像処理装置５は、映像処理部５４が出力した映像データに基づいて液晶ライトバルブ３を駆動する駆動制御部（表示制御部）５６を備えている。駆動制御部５６は、映像処理部５４から入力される映像データの各フレームを、ライン毎に液晶ライトバルブ３の液晶表示パネルに出力して、液晶表示パネルに描画する。
この駆動制御部５６は、画素データを補間する処理を行う補間処理部５７と、補間処理部５７が補間処理を行う際に１または複数ライン分の画像データを一時的に記憶するラインメモリー５８とを有する。
駆動制御部５６は、液晶ライトバルブ３にライン毎にデータを出力する際に、補間処理部５７によって画素データを補間する処理を合わせて実行する。この機能により、駆動制御部５６は、各フレームの解像度を高めることができる。すなわち、映像処理部５４が出力する映像データよりも液晶ライトバルブ３の表示解像度の方が高解像度である場合、駆動制御部５６が、映像処理部５４から出力された映像データの画素数を拡大するとともに、欠落する画素のデータを補間処理部５７によって補間する。
なお、サイドバイサイド方式、トップアンドボトム方式及びフレームパッキング方式などの再生処理は、公知の再生処理を広く適用することができる。
【００２９】
上記したように、フォーマット判定部５２においては、付加情報を認識できない立体映像（本構成ではサイドバイサイド方式とトップアンドボトム方式の立体映像）については、平面映像と認識される事態が生じる。
これに対応すべく、本構成では、フォーマット判定部５２にて平面映像と判定された場合、以下に述べる「３Ｄ映像の判定」のメニュー項目で設定された設定内容に従って、サイドバイサイド方式、トップアンドボトム方式或いは平面映像のいずれかに対応する公知の再生処理を実行し、正しいフォーマットを決定できるように構成されている。
【００３０】
図３は、「３Ｄ映像の判定」のメニュー項目Ｍ１を示す図である。
この「３Ｄ映像の判定」のメニュー項目は、「平面／第１立体映像」と判定された入力映像について、立体映像かどうかを視覚で判定するためのフォーマット視覚判定用メニュー項目として機能する。
表示装置１が電源オンされた状態で、操作部１２の操作によりメニュー表示指示を入力すると、制御装置１０はＯＳＤ処理部５３を制御し、スクリーンＳＣにメニュー画面（図３中、符号Ｍ０で示す）を表示する。そして、メニュー画面の表示中における操作部１２の操作により、メニュー画面中の「拡張設定」が指示されると、制御装置１０はＯＳＤ処理部５３を制御して、視覚判定用メニュー項目を含む拡張設定画面Ｇ１をＯＳＤ表示させる。なお、図３中、符号Ｗは現在指定されている位置を示す指示枠である。
【００３１】
メニュー画面Ｍ０には、「画質」、「設定」、「拡張設定」、「ネットワーク」、「情報」及び「初期化」といったメニュー種別を選択するメニュー項目ＭＮ１が配置され、いずれかのメニュー項目ＭＮ１が指示されると、そのメニュー種別に割り当てられたメニュー項目が表示される。
なお、「画質」が指示された場合、画質に関するメニュー項目が表示され、「設定」が指示された場合、拡張設定以外の設定（基本設定）に関するメニュー項目が表示され、「拡張設定」が指示された場合、拡張設定に関するメニュー項目（Ｍ１，Ｍ２，Ｍ３）が表示される。また、「ネットワーク」が指示された場合には、表示装置１が具備するネットワーク機能を使用する場合のネットワークに関するメニュー項目が表示され、「情報」が指示された場合には、表示装置１の各種情報に関するメニュー項目が表示され、「初期化」が指示された場合には、表示装置１の初期化に関するメニュー項目が表示される。
【００３２】
図３に示すように、拡張設定画面Ｇ１では、「３Ｄ表示」、「３Ｄ映像の判定」及び「視聴上の注意」からなる複数（３つ）のメニュー項目Ｍ１〜Ｍ３が表示され、操作部１２の操作により「３Ｄ表示」（Ｍ２）及び「視聴上の注意」（Ｍ３）が選択されることにより「３Ｄ表示」及び「視聴上の注意」の各々についてオン／オフが設定される。
また、操作部１２の操作により「３Ｄ映像の判定」（Ｍ１）が選択されることにより、後述する映像フォーマット決定処理が実行される。なお、この映像フォーマット決定処理ではユーザーの指示により映像フォーマットが決定され、図示の例では、前回「２Ｄ映像」に決定された状態を示している。このようにしてメニュー画面上で設定された設定内容は、設定情報として記憶部１３に記憶され、電源オフでも保持される。
すなわち、本実施形態では、映像フォーマット決定処理を実行すると共にユーザー指示を入力するための制御装置１０、操作部１２、映像処理部５４などがフォーマットを決定する決定手段として機能している。
なお、「拡張設定」中の視覚判定用メニュー項目以外（「画質」、「設定」、「ネットワーク」、「情報」、「初期化」、「３Ｄ表示」、「視聴上の注意」）は、公知の構成を使用すればよい。
【００３３】
次に、映像フォーマット決定処理（画像フォーマット決定処理）について説明する。
図４は、この処理を示すフローチャートである。
操作部１２の操作により「３Ｄ映像の判定」が選択されると、制御装置１０は、フォーマット判定部５２によって平面映像と判定された入力映像に対し、映像処理装置５によってサイドバイサイド方式に対応する再生処理（サイドバイサイド再生処理）と、トップアンドボトム方式に対応する再生処理（トップアンドボトム再生処理）と、平面映像に対応する再生処理（２Ｄ再生処理）とを所定の時間間隔（数秒間隔）で切り替える処理を開始する（ステップＳ１）。
これにより、入力映像に対し、サイドバイサイド再生処理、トップアンドボトム再生処理及び２Ｄ再生処理を行った結果がスクリーンＳＣに所定の時間間隔で順次循環的に表示される。
【００３４】
図５（Ａ）は、サイドバイサイド方式の立体映像に対し、２Ｄ再生処理を行った表示結果を示している。なお、この図５（Ａ）は、図２（Ｂ）に示す立体映像を２Ｄ再生した表示結果である。この図５（Ａ）に示すように、左右（水平方向）に同じ映像が並んだ画像が表示されるので、ユーザーは特別な知識を持たずとも、映像が正しく再生されていないと容易に判断できる。
また、図５（Ｂ）は、サイドバイサイド方式の立体映像に対し、サイドバイサイド再生処理を行った表示結果を示している。この図５（Ｂ）に示すように、ユーザーが特別な知識を持たずとも、立体映像が正しく再生されていることが容易に判断できる。
また、図６は、サイドバイサイド方式の立体映像に対し、トップアンドボトム再生処理を行った表示結果を示している。この図６に示すように、元画像（図２（Ｂ）の画像に相当）の上下半分の画像が表示されるので、ユーザーは特別な知識を持たずとも、映像が正しく再生されていないと容易に判断できる。
【００３５】
このステップＳ１の再生処理の間、制御装置１０は、ＯＳＤ処理部５３によって、ユーザー指示を入力するための指示入力画面Ｇ１０をＯＳＤ表示させている（ステップＳ２）。この指示入力画面Ｇ１０には、正しく表示されたタイミングでユーザー指示を入力するためのメッセージ情報（本構成では、「正しく表示されたところで決定ボタンを押してください」）に加え、現在状況を示す情報（図５（Ａ）に示す「３Ｄ映像テスト中：２Ｄ映像」、図５（Ｂ）に示す「３Ｄ映像テスト中：サイドバイサイド」）が表示される。
上記処理は、操作部を介してユーザー操作（決定ボタンの操作）があるまで継続して実行される（ステップＳ３：ＮＯ）。
【００３６】
そして、ユーザー操作（決定ボタンの操作）があると（ステップＳ３：ＹＥＳ）、制御装置１０は、入力された時点の再生処理を特定し、その再生処理に対応する映像フォーマットを、「３Ｄ映像の判定」の結果を示す設定情報として記憶部１３に記憶し（ステップＳ４）、現在の入力映像に対し、その設定情報として映像フォーマットの再生処理で再生を行う（ステップＳ５）。
これにより、（図５（Ａ）の画像）→（図５（Ｂ）の画像）→（図６の画像）→（図５（Ａ）の画像）→・・というように再生処理が異なる画像が順次循環的に繰り返し表示され、ユーザーが正しく再生された時点（（図６（Ｂ）の画像の表示期間内）で所定操作を行うことによって、正しいフォーマットが決定される。従って、サイドバイサイド方式、トップアンドボトム方式の立体映像及び平面映像についても適切に再生することができる。
【００３７】
以上説明したように、この表示装置１においては、フォーマット判定部５２によって平面映像と判定された入力画像に対し、立体映像のフォーマットに対応する左右両眼用の画像を生成する処理を行い、生成された左右両眼用の画像を表示するので、立体映像が平面映像と判定された場合でも、ユーザーが視覚で確認して適切なフォーマットを選ぶことができ、ユーザーが特別な知識を持たなくても、簡易かつ正確にフォーマットを決定することができる。従って、様々な原因で付加情報が適切に記録されない立体映像が存在する場合でも、平面映像と判定された立体映像について正しいフォーマットを決定することができる。
しかも、本構成では、上記左右両眼用の画像を表示中に、ユーザー指示の入力を受け付け、ユーザー指示を入力した時点に対応するフォーマットを正しいフォーマットとするので、ユーザーが簡易かつ直感的な操作でフォーマットを特定することができる。
【００３８】
なお、本実施形態では、左右両眼用の画像を表示中にユーザーが正しいフォーマットを指示する場合を説明したが、これに限らず、左右両眼用の画像を表示後にユーザーが正しいフォーマットを指示するように構成してもよい。
また、制御装置１０は、フォーマット判定部５２によって平面映像と判定された入力映像に対し、映像処理装置５によってサイドバイサイド方式に対応する再生処理と、トップアンドボトム方式に対応する再生処理と、平面映像に対応する再生処理とを所定の時間間隔で切り替える処理を行って表示しているが、これに限らず、ユーザー操作によって順次切り替えて表示させてもよい。そして、処理された映像が表示中されている間に、ユーザーの指示に基づいて、正しいフォーマットとして設定するか、次のフォーマットで処理した映像を表示させるかを実行するように構成してもよい。
【００３９】
また、本構成では、フォーマット判定部５２が、立体映像に付加される付加情報とフレーム伝送レートとに基づいて平面映像か立体映像かを判定するので、付加情報を認識できない立体画像が存在した場合に、平面映像とフレーム伝送レートが異なるフォーマット（フレームパッキング方式）については正しく判定することができる。
また、本構成では、立体映像のフォーマットに対応する左右両眼用の画像を生成する処理として、少なくともサイドバイサイド方式及びトップアンドボトム方式の各々に対応する再生処理で左右両眼用の画像を生成するので、平面映像、サイドバイサイド方式の立体映像及びトップアンドボトム方式の立体映像について、ユーザーが視覚で正しく再生されたか否かを簡易かつ正確に判定することができる。なお、本実施形態では、平面映像に対応する再生処理も行う場合を説明したが、この再生処理を省略してもよい。この場合、平面映像の場合は正しく再生できないが、この場合にユーザーが平面映像のフォーマットと認識することは比較的容易であり、簡易かつ正確にフォーマットを決定できる。
【００４０】
＜第２実施形態＞
図７は、第２実施形態に係る表示装置１の機能的構成を示している。
この表示装置１は、「３Ｄ映像の判定」が選択された場合に生成される左右両眼用の画像の比較に基づいてフォーマットを決定する画像比較型フォーマット判定部６１を備えている。
この画像比較型フォーマット判定部６１は、映像処理部５４に設けられており、制御装置１０の制御の下、サイドバイサイド再生、トップアンドボトム再生、及び、２Ｄ再生の各々について、フレームメモリー５５に展開された左右両眼用の画像を比較し、この比較結果に基づいてフォーマットを決定する。
より具体的には、画像比較型フォーマット判定部６１は、２Ｄ再生処理を実行した場合に、フレームメモリー５５に展開された１フレームの画像データに対し、左右中心を基準にした左右の画像について各々の特徴量を比較する左右画像比較処理、及び、上下中心を基準にした上下の画像について各々の特徴量を比較する上下画像比較処理を行う。
あるいは、画像比較型フォーマット判定部６１は、サイドバイサイド再生処理及びトップアンドボトム再生処理を実行した場合に、各再生で得られる左右両眼用の画像の特徴量を比較する比較処理を行ってもよい。なお、これら比較処理は、公知の画像比較処理を広く適用することができる。
【００４１】
図８は、各比較処理結果とフォーマットの関係を示している。この図に示すように、サイドバイサイド再生及びトップアンドボトム再生の場合の立体画像または平面画像の比較処理については、類似、非類似の結果が異なっており、制御装置１０は、各比較処理結果に基づいて正しいフォーマットを決定することができる。
例えば、２Ｄ再生処理を行って、左右の画像及び上下の画像を比較する場合、入力画像が平面画像の場合は、比較結果は共に非類似になり、入力画像がサイドバイサイド方式の立体画像の場合は、左右の画像の比較結果が類似になり、入力画像がトップアンドボトムの立体画像の場合は、上下の画像の比較結果が類似になる。また、サイドバイサイド再生処理及びトップアンドボトム再生処理を行って、左右両眼用の画像を比較する場合、入力画像が平面画像の場合は、左右両眼画像の比較結果は共に非類似になり、入力画像がサイドバイサイド方式の立体画像の場合は、サイドバイサイド再生処理後の左右両眼画像の比較結果が類似になり、入力画像がトップアンドボトムの立体画像の場合は、トップアンドボトム再生処理後の左右両眼画像の比較結果が類似になる。
【００４２】
図９は、２Ｄ再生処理を実行した場合に、フレームメモリー５５に展開された１フレームの画像データに対し、左右中心を基準にした左右の画像について各々の特徴量を比較する左右画像比較処理、及び、上下中心を基準にした上下の画像について各々の特徴量を比較する上下画像比較処理を行ってフォーマットを決定する場合のフローチャートである。
操作部１２の操作により「３Ｄ映像の判定」が選択されると、制御装置１０は、フォーマット判定部５２によって平面映像と判定された入力映像に対し、２Ｄ再生処理を実行し、フレームメモリー５５に展開された１フレームの画像データに対し、左右中心を基準にした左右の画像について各々の特徴量を算出する処理、及び、上下中心を基準にした上下の画像について各々の特徴量を算出する処理を行う（ステップＳ１１）。
【００４３】
そして、算出された左右の画像の特徴量及び上下の画像の特徴量をそれぞれ比較し、左右の画像の特徴量が類似、かつ上下の特徴量が非類似の場合（ステップＳ１２：ＹＥＳ）、サイドバイサイド方式に決定する（ステップＳ１４）。また、ステップＳ１２がＮＯの場合、さらに左右の画像の特徴量が非類似、かつ上下の特徴量が類似の場合（ステップＳ１３：ＹＥＳ）、トップアンドボトム方式に決定する（ステップＳ１５）。また、ステップＳ１３がＮＯの場合は、平面画像に決定する（ステップＳ１６）。
【００４４】
以上説明したように、本実施形態では、画像比較型フォーマット判定部６１及び制御装置１０がフォーマットを決定する決定手段として機能している。従って、本実施形態では、ユーザーが判断することなく、演算によってフォーマットを決定することができる。
【００４５】
＜第３実施形態＞
図１０は、第３実施形態に係る表示装置１の機能的構成を示している。
この表示装置１は、スクリーンＳＣの投射画像を撮像する撮像部１５を備え、この撮像部１５の撮像画像に基づいて制御装置１０が台形歪み補正を行う自動台形歪み補正機能を備えたプロジェクターである。
この撮像部１５は、スクリーンＳＣの投射画像を撮像可能に設けられたＣＣＤカメラを有し、制御装置１０の制御の下、投射画像を撮像し、撮像データを制御装置１０に出力する。
本実施形態では、「３Ｄ映像の判定」が選択された場合に、制御装置１０が撮像部１５に撮像動作を開始させることにより、スクリーンＳＣに投射された立体映像（立体画像）のフォーマットに対応する左右両眼用の画像を撮像させ、この撮像された左右両眼用の画像に基づいてフォーマットを決定する。なお、この「３Ｄ映像の判定」の間、台形歪み補正は一時停止され、フォーマット決定後に再開される。但し、台形歪み補正を継続してもよいことは勿論である。
【００４６】
このフォーマットを決定する処理は、第２実施形態と同様に、サイドバイサイド再生、トップアンドボトム再生、及び、２Ｄ再生の各々について、左右両眼用の画像を比較し、この比較結果に基づいてフォーマットを決定すればよい。なお、この画像比較処理を行う主体は、映像処理部５４でも良いし、制御装置１０でも良い。
従って、本実施形態では、自動台形歪み補正機能を備えたプロジェクターが有する撮像部１５を使用する構成で、ユーザーが判断することなく、演算によってフォーマットを決定することができる。
【００４７】
上述した実施形態は、あくまでも本発明の一態様を示すものであり、本発明の主旨を逸脱しない範囲で任意に変形及び応用が可能である。
例えば、上述の各実施形態において、映像のフォーマットを判定する場合について説明したが、この映像は、動画像に限らず、静止画像であってもよい。つまり、本発明は、動画や静止画に関係なく、平面画像と判定された入力画像に対し、立体画像のフォーマットに対応する左右両眼用の画像を生成する処理を行い、生成された左右両眼用の画像に基づいて入力画像のフォーマットを決定すればよい。
また、上述の各実施形態では、映像のフォーマットとして、サイドバイサイド方式、トップアンドボトム方式を判定しているが、これに限らず、フレームシーケンシャル方式、フレームパッキング方式などの他の方式を判定するようにしてもよい。
【００４８】
また、本発明の表示装置は、上述したように光源装置２が発した光を変調する変調部として液晶ライトバルブ３を用いているが、これに限らず、反射型液晶ライトバルブを用いてもよいし、デジタルミラーデバイス（ＤＭＤ）を用いてもよい。
【００４９】
また、本発明の表示装置は、上述したようにスクリーンＳＣに３Ｄ（立体）映像を投射するプロジェクターに限定されず、液晶表示パネルに３Ｄの画像／映像を表示する液晶モニターまたは液晶テレビ、或いは、ＰＤＰ（プラズマディスプレイパネル）に３Ｄの画像／映像を表示するモニター装置またはテレビ受像機、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ−Ｌｕｍｉｎｅｓｃｅｎｃｅ）などと呼ばれる有機ＥＬ表示パネルに３Ｄの画像／映像を表示するモニター装置またはテレビ受像機などの自発光型の表示装置など、各種の表示装置に本発明を適用してもよい。この場合、液晶表示パネル、プラズマディスプレイパネル、有機ＥＬ表示パネルが表示手段に相当する。
【００５０】
また、本発明の表示装置の各機能部について、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、表示装置の具体的な細部構成についても、本発明の趣旨を逸脱しない範囲で任意に変更可能である。また、本発明は、このような装置が実行するプログラムとして実現することも可能である。
【符号の説明】
【００５１】
１…表示装置、２…光源装置（表示手段）、３…液晶ライトバルブ（表示手段）、４…投射光学系（表示手段）、５…映像処理装置、１０…制御装置（決定手段）、１２…操作部（決定手段）、１３…記憶部、１５…撮像部、５１…映像入力インターフェース、５２…フォーマット判定部（判定手段）、５４…映像処理部（決定手段）、５５…フレームメモリー、５６…駆動制御部。
【図１】
2012129711.tif 000003
【図２】
2012129711.tif 000004
【図３】
2012129711.tif 000005
【図４】
2012129711.tif 000006
【図５】
2012129711.tif 000007
【図６】
2012129711.tif 000008
【図７】
2012129711.tif 000009
【図８】
2012129711.tif 000010
【図９】
2012129711.tif 000011
【図１０】
2012129711.tif 000012